(57)【要約】【課題】帳票の一部の領域を撮影して得られるフレーム画像のうち文字情報の取得ができたフレーム画像が、帳票のどの位置に対応しているかを把握することを容易にする。【解決手段】一つの帳票を部分的に連続して撮影したフレーム画像を取得するフレーム画像取得部と、前記フレーム画像における文字画像の文字認識を行なう文字認識部と、前記帳票のテンプレート画像の特徴情報と、前記文字認識により文字情報が得られた前記フレーム画像の特徴情報とにより、前記フレーム画像を前記テンプレート画像に重畳させる画像処理部とを備える。【選択図】図１
2020098433.tif 000002
【特許請求の範囲】
【請求項１】
一つの帳票を部分的に連続して撮影したフレーム画像を取得するフレーム画像取得部と、
前記フレーム画像における文字画像の文字認識を行なう文字認識部と、
前記帳票のテンプレート画像の特徴情報と、前記文字認識により文字情報が得られた前記フレーム画像の特徴情報とにより、前記フレーム画像を前記テンプレート画像に重畳させる画像処理部と
を備えることを特徴とする画像処理装置。
【請求項２】
前記画像処理部は、
前記テンプレート画像に前記フレーム画像を重ねる際、１つ前に重ねられている前記フレーム画像と前記文字情報が重複する場合、重複する部分において前記文字情報が認識されている前記フレーム画像を上にして重ねる
ことを特徴とする請求項１に記載の画像処理装置。
【請求項３】
前記画像処理部は、
前記テンプレート画像に前記フレーム画像を重ねる際、前記文字情報が認識されていない領域を不要領域として検出する
ことを特徴とする請求項１に記載の画像処理装置。
【請求項４】
フレーム画像取得部が、一つの帳票を部分的に連続して撮像したフレーム画像を取得するフレーム画像取得過程と、
文字認識部が、前記フレーム画像における文字画像の文字認識を行なう文字認識過程と、
画像処理部が、前記帳票のテンプレート画像の特徴情報と、前記文字認識により文字情報が得られた前記フレーム画像の特徴情報とにより、前記フレーム画像を前記テンプレート画像に重畳させる画像処理過程と
を含むことを特徴とする画像管理方法。
【請求項５】
コンピュータを、
一つの帳票を部分的に連続して撮影したフレーム画像を取得するフレーム画像取得手段、
前記フレーム画像における文字画像の文字認識を行なう文字認識手段、
前記帳票のテンプレート画像の特徴情報と、前記文字認識により文字情報が得られた前記フレーム画像の特徴情報とにより、前記フレーム画像を前記テンプレート画像に重畳させる画像処理手段
として機能させるためのプログラム。
【発明の詳細な説明】
【技術分野】
【０００１】
本発明は、画像処理装置、画像管理方法、プログラムに関する。
【背景技術】
【０００２】
携帯電話やスマートフォンなどの端末装置によって運転免許証などの各種証明書を撮影して得られた画像データと、当該画像データを文字認識することで得られる文字情報とを用いることにより、各種申し込み手続が電子的に行われるようになってきている。端末装置のカメラで撮影して文字認識するものとしては、例えば、特許文献１に記載された携帯端末装置がある。
【０００３】
特許文献１に開示される技術では、例えば、読み取り対象の文書を連続して撮影する間に得られる複数の文書画像について文字認識を行い、文書画像に含まれる文字や値などの文字情報を検出する。さらに、特許文献１に開示される技術では、検出した文字情報の中から予め定められている項目名を示す文字情報を検出し、また、当該項目名に対応して記録されている、例えば、個人ごとに異なる氏名や住所などの文字情報を読み出して取得している。
【先行技術文献】
【特許文献】
【０００４】
【特許文献１】特許第６３６４０５１号公報
【発明の概要】
【発明が解決しようとする課題】
【０００５】
ところで、運転免許証などよりも大きな帳票の場合、文字を認識するために必要となる解像度の画像を得るためには、スマートフォンなどのカメラでは帳票の全体を一度に撮影することができない場合がある。このような帳票についても、特許文献１に開示される技術を利用すれば、帳票を複数の領域に区切って連続して撮影していくことで、帳票に記録されている全ての文字情報を取得することが可能となる。ただし、このように、領域毎に区切ってフレーム画像として撮影した場合、得られた複数のフレーム画像によって１枚の帳票の復元を行なう。
しかしながら、撮影した複数のフレーム画像の各々が帳票のどの位置に対応するのかが判らないため、帳票全体を復元することが困難である。
【０００６】
本発明は、このような事情に鑑みてなされたものであり、その目的は、撮影した複数のフレーム画像の各々が、帳票のどの位置を撮影したかを検出し、帳票全体の画像の復元を容易にする画像処理装置、画像管理方法、プログラムを提供することにある。
【課題を解決するための手段】
【０００７】
上述した課題を解決するために、本発明の画像処理装置は、一つの帳票を部分的に連続して撮影したフレーム画像を取得するフレーム画像取得部と、前記フレーム画像における文字画像の文字認識を行なう文字認識部と、前記帳票のテンプレート画像の特徴情報と、前記文字認識により文字情報が得られた前記フレーム画像の特徴情報とにより、前記フレーム画像を前記テンプレート画像に重畳させる画像処理部とを備えることを特徴とする。
【０００８】
本発明の画像処理装置において、前記画像処理部は、前記テンプレート画像に前記フレーム画像を重ねる際、１つ前に重ねられている前記フレーム画像と前記文字情報が重複する場合、重複する部分において前記文字情報が認識されている前記フレーム画像を上にして重ねることを特徴とする。
本発明の画像処理装置において、前記画像処理部は、前記テンプレート画像に前記フレーム画像を重ねる際、前記文字情報が認識されていない領域を不要領域として検出することを特徴とする。
【０００９】
本発明の画像管理方法は、フレーム画像取得部が、一つの帳票を部分的に連続して撮像したフレーム画像を取得するフレーム画像取得過程と、文字認識部が、前記フレーム画像における文字画像の文字認識を行なう文字認識過程と、画像処理部が、前記帳票のテンプレート画像の特徴情報と、前記文字認識により文字情報が得られた前記フレーム画像の特徴情報とにより、前記フレーム画像を前記テンプレート画像に重畳させる画像処理過程とを含むことを特徴とする。
【００１０】
本発明のプログラムは、コンピュータを、一つの帳票を部分的に連続して撮影したフレーム画像を取得するフレーム画像取得手段、前記フレーム画像における文字画像の文字認識を行なう文字認識手段、前記帳票のテンプレート画像の特徴情報と、前記文字認識により文字情報が得られた前記フレーム画像の特徴情報とにより、前記フレーム画像を前記テンプレート画像に重畳させる画像処理手段として機能させるためのプログラムである。
【発明の効果】
【００１１】
この発明によれば、撮影した複数のフレーム画像の各々が、帳票のどの位置を撮影したかを検出し、帳票全体の画像の復元を容易にする画像処理装置、画像管理方法、プログラムを提供することができる。
【図面の簡単な説明】
【００１２】
【図１】第１実施形態の帳票データ管理システムの構成を示す概略ブロック図である。
【図２】同実施形態における帳票のテンプレートの一例を示す図である。
【図３】同実施形態における帳票の一例を示す図である。
【図４】同実施形態において撮影されたフレーム画像の一例（その１）である。
【図５】同実施形態において撮影されたフレーム画像の一例（その２）である。
【図６】同実施形態における帳票定義テーブルを示す図である。
【図７】同実施形態における帳票情報テーブルを示す図（その１）である。
【図８】同実施形態における重畳状態テーブルを示す図である。
【図９】同実施形態における帳票情報集計テーブルを示す図である。
【図１０】同実施形態における端末装置による帳票の撮影処理の流れを示すフローチャートである。
【図１１】同実施形態における帳票情報テーブルを示す図（その２）である。
【図１２】同実施形態において撮影されたフレーム画像の一例（その３）である。
【図１３】同実施形態における帳票情報テーブルを示す図（その３）である。
【図１４】同実施形態における端末装置による保存対象の帳票情報テーブルの選択処理流れを示すフローチャートである。
【図１５】同実施形態における端末装置によるテンプレート画像にフレーム画像を重ねて重畳画像を生成する処理の流れを示すフローチャートである。
【図１６】同実施形態におけるマッチング処理部による処理の一例を示す図である。
【図１７】同実施形態における重畳画像の構成を示す図である。
【図１８】同実施形態の他の構成例において撮影されたフレーム画像の一例である。
【図１９】同実施形態の他の構成例における帳票情報テーブルを示す図である。
【図２０】同実施形態の他の構成例において２個のフレーム画像が重ねられた状態を示す図である。
【図２１】同実施形態の他の構成例における重畳状態テーブルを示す図である。
【図２２】第２実施形態における帳票情報テーブルを示す図である。
【図２３】同実施形態におけるフレーム画像の不要領域を示す図（その１）である。
【図２４】同実施形態におけるフレーム画像の不要領域を示す図（その２）である。
【図２５】同実施形態におけるフレーム画像の位置関係を示す図である。
【発明を実施するための形態】
【００１３】
（第１実施形態）
以下、本発明の第１実施形態による端末装置１を備える帳票データ管理システムＳについて図面を参照して説明する。図１は、帳票データ管理システムＳの構成を示す概略ブロック図である。帳票データ管理システムＳは、端末装置１、帳票データ管理装置３、及び端末装置１と帳票データ管理装置３とを接続する通信ネットワーク４を備える。
【００１４】
端末装置１は、例えば、カメラを内蔵したスマートフォン、携帯電話、携帯情報端末、タブレットＰＣ(Personal Computer)などの装置である。端末装置１は、帳票データ管理装置３、または他のサーバ装置から通信ネットワーク４を通じてダウンロードした所定のアプリケーションプログラム（以下、ＡＰと示す）を実行し、例えば、通信装置として機能したり、以下に説明する帳票撮影用の装置として機能したりする。
端末装置１は、操作部１０、撮影部１１、表示部１２、フレーム画像取得部１３、記憶部１４、文字認識部１５、選択部１６、認識データ管理部１７、通信部１８、及び画像処理部２０を備える。
【００１５】
第１実施形態において、端末装置１の撮影の対象となる帳票には、例えば、図２に示すようなタイトル（健康診断個人票）、項目名（例えば、事業所名、所在地、氏名など）、及び罫線からなるテンプレートが予め印刷されている。この図２に示すテンプレートに文字や数字の情報が記録されると、例えば、図３に示すような帳票となる。
【００１６】
撮影部１１は、例えば、ＣＣＤ(Charge Coupled Device)カメラであり、操作部１０から撮影開始の指示情報が供給された場合、１秒間に１０〜３０フレームのフレームレートでの撮影を連続して行い、フレームレートの周期ごとにフレーム画像のデータを取得する。また、撮影部１１は、操作部１０から撮影終了の指示情報が供給された場合に撮影を終了する。例えば、図４及び図５は、図３に示す帳票を上から順に連続して撮影することにより得られたフレーム画像６１，６２の例である。
【００１７】
表示部１２は、例えば、タッチパッドのような入力装置が画面上に配置されたタッチパネルなどであり、撮影部１１が撮影したフレーム画像、または、記憶部１４が記憶する画像のデータを画面に表示する。
通信部１８は、端末装置１の外部の機器、例えば、帳票データ管理装置３と通信ネットワーク４を通じて通信を行う。
【００１８】
記憶部１４は、フレーム画像記憶部１４１、アプリケーション記憶部１４２、テンプレート画像記憶部１４３、テンプレート特徴情報記憶部１４６、帳票定義情報記憶部１４４、帳票情報記憶部１４５、及び重畳画像記憶部１４７を備える。
【００１９】
フレーム画像記憶部１４１は、フレーム画像取得部１３が撮影部１１から取得したフレーム画像のデータを、各々のフレーム画像に対応付けられているフレーム識別情報と共に記憶する。アプリケーション記憶部１４２は、帳票データ管理装置３、または他のサーバ装置から通信ネットワーク４を通じてダウンロードした所定のＡＰを記憶する。
【００２０】
テンプレート画像記憶部１４３は、予め図２に示す帳票のテンプレートの画像を外部のイメージスキャナー等を用いて、例えばフレーム画像と同程度の解像度で読み取ることにより得られるテンプレート画像のデータを記憶する。
【００２１】
帳票定義情報記憶部１４４は、例えば、図６に示す帳票定義テーブル１４４１を予め記憶する。帳票定義テーブル１４４１は、「帳票識別情報」、「項目名」、「項目番号」、「定義情報」の項目を有する。「帳票識別情報」の項目には、帳票のテンプレートの種類、例えば、欄の形式や項目名の異なるテンプレートを一意に識別可能な情報であって、テンプレートの種類毎に予め付与された帳票識別情報が書き込まれる。「項目名」の項目には、帳票識別情報に対応する帳票に含まれる項目名の情報が書き込まれる。「項目番号」の項目には、項目名毎に予め付与された項目番号が書き込まれる。「定義情報」の項目には、項目名や、その項目名に対応して記録される情報（以下、項目記録情報という）が横書きなのか、縦書きなのかを示す情報や、項目名、及び項目記録情報の位置関係を示す情報が書き込まれる。ここで、項目名及び項目記録情報の位置関係を示す情報とは、例えば、図６に示すように、項目名及び項目記録情報が横一行、または縦一行に位置する情報や、項目名の位置に対して項目記録情報が上下左右のいずれかの行、または列に位置する情報などである。
【００２２】
なお、帳票定義情報記憶部１４４は、予めユーザによって指定された帳票の種類のテンプレートに対応する帳票定義テーブル１４４１を記憶する。他の種類のテンプレート、すなわち帳票識別情報の異なるテンプレートが用いられる帳票の撮影を行う場合、帳票定義情報記憶部１４４に、当該他のテンプレートに対応する帳票定義テーブル１４４１を書き込む必要がある。
【００２３】
帳票情報記憶部１４５は、フレーム画像毎に生成される同一のデータ形式を有する帳票情報テーブルを記憶する。例えば、図７に示す帳票情報テーブル１４５１−１は、図４に示したフレーム画像６１に対応して生成されるテーブルである。帳票情報テーブル１４５１は、「フレーム識別情報」、「項目番号」、「取得情報」の項目の各々の欄に、対応するフレーム画像における項目番号、取得情報としての項目記録情報それぞれが書き込まれる。なお、文字認識部１５が、項目名は取得するが、当該項目名に対応する項目記録情報を取得していない項目名の項目番号に対応する「取得情報」の項目は空欄となる。
【００２４】
テンプレート特徴情報記憶部１４６は、テンプレート画像記憶部１４３が記憶するテンプレート画像に基づいて、画像処理部２０が算出する特徴点や特徴量を含む特徴情報を記憶する。
【００２５】
重畳画像記憶部１４７は、重畳画像のデータと、図８に示す重畳状態テーブル１４７１を記憶する。ここで、重畳画像とは、例えば、テンプレート画像の大きさや、項目及び罫線の位置に合うように画像処理部２０により画像変換が行われたフレーム画像がテンプレート画像に対して重ねられた画像である。この重畳状態テーブル１４７１は、図８に示すように、「フレーム識別情報」、「配置状態」の項目を有している。「フレーム識別情報」の項目には、重畳画像に重畳されているフレーム画像のフレーム識別情報が重ねられた順に書き込まれる。図８に示す例では、最初にフレーム識別情報「１」のフレーム画像がテンプレート画像に重ねられ、その後、フレーム識別情報「２」のフレーム画像、フレーム識別情報「３」のフレーム画像が重ねられたことを示している。
【００２６】
「配置状態」の項目には、フレーム画像が重複領域を有して重ねた場合、前後のフレーム画像との関係で、どちらのフレーム画像が上または下のいずれの配置であるかを示す情報が書き込まれる。例えば、図８の例では、フレーム識別情報が「１」のフレーム画像が最初にテンプレート画像に重ねられており、前にフレーム画像が存在しないため、「配置状態」の項目の上欄には、存在しないことを示す「−」が書き込まれる。第１実施形態では、後から重ねるフレーム画像を上として重ねるため、次に重ねられたフレーム識別情報「２」のフレーム画像との関係では、フレーム識別情報「１」のフレーム画像は下の位置になる。そのため、フレーム識別情報「１」の「配置状態」の項目の下欄には、「下」が書き込まれ、フレーム識別情報「２」の「配置状態」の項目の上欄には、「上」が書き込まれる。なお、図８は、フレーム画像を３枚重ねた場合の例であり、重ねるフレーム画像の枚数に応じたレコード（行）が生成される。
【００２７】
なお、記憶部１４のうちフレーム画像記憶部１４１、帳票情報記憶部１４５、重畳画像記憶部１４７は、例えば、テンプレートの種類が同一である複数の帳票の撮影を行う場合、他の帳票と混在しないように、各帳票の撮影を開始する前に初期化しておく必要がある。また、帳票撮影用のＡＰが終了した際に記憶領域が解放されるのが望ましい。
また、記憶部１４のうちテンプレート画像記憶部１４３、帳票定義情報記憶部１４４、テンプレート特徴情報記憶部１４６が記憶する情報は、帳票撮影用のＡＰが終了、あるいは端末装置１の電源がＯＦＦされても記憶領域に保持しておいても良く、例えば、不揮発性の記憶領域（ファラッシュメモリなど）に予め構成される。なお、帳票撮影用のＡＰを起動するごとに、テンプレート画像や、帳票定義テーブル１４４１を登録し直す構成としてもよい。
【００２８】
以下に、説明する操作部１０、フレーム画像取得部１３、文字認識部１５、選択部１６、認識データ管理部１７、及び画像処理部２０は、例えば、帳票撮影用のＡＰが端末装置１の内部のＣＰＵに実行されることにより構成される機能部である。
操作部１０は、例えば、表示部１２の画面上の備えられるタッチパッドに接続しており、ユーザが指を使って画面上に触れた場合、タッチパッドが出力する触れた画面上の位置を示す情報に応じた処理を行う。例えば、帳票撮影用のＡＰは、起動すると、表示部１２の画面上に、撮影処理の開始を指示する撮影開始ボタン、撮影処理の終了を指示する撮影終了ボタンを表示する。
【００２９】
操作部１０は、タッチパッドが出力する位置情報が撮影開始ボタンの位置である場合、フレーム画像記憶部１４１、帳票情報記憶部１４５、重畳画像記憶部１４７の初期化を行う。操作部１０は、当該初期化を行った後、撮影部１１に対して帳票を連続して撮影処理の開始を示す撮影開始の指示情報を撮影部１１に出力する。また、操作部１０は、タッチパッドが出力する位置情報が撮影終了ボタンの位置である場合、撮影部１１と文字認識部１５と選択部１６に対して撮影処理の終了を示す撮影終了の指示情報を出力する。
【００３０】
フレーム画像取得部１３は、撮影部１１が生成して出力するフレーム画像を取得する。フレーム画像取得部１３は、フレーム画像を取得すると新たなフレーム識別情報を生成し、取得したフレーム画像と生成したフレーム識別情報とを対応付けてフレーム画像記憶部１４１に書き込んで記憶させる。フレーム識別情報は、例えば、フレーム画像の時系列順がわかるように、フレーム画像取得部１３が若い番号、例えば、「１」から順に値を増加させて生成する。
【００３１】
文字認識部１５は、ＯＣＲ(Optical Character Recognition)処理により、フレーム画像から文字や数字の画像（文字画像）を、抽出して切り出し、パターン辞書、フォント辞書等を用いて文字認識を行ない、文字や数字を示す文字情報を取得する。ここで、文字認識することにより得られる情報は、例えば、文字や数字を示す文字情報であり、例えば、テキストデータでもよい。また、文字認識部１５は、文字認識の際に、文字や数字の各々の外接矩形の座標を取得する。
【００３２】
また、文字認識部１５は、文字情報と座標情報を出力する際、文字認識処理を行ったフレーム画像のフレーム識別情報を、出力する文字情報及び座標情報に対応付ける。文字認識部１５は、文字認識処理を行った場合、フレーム画像に含まれる全ての文字情報と座標情報の組み合わせを一度に検出するが、フレーム画像から文字情報及び座標情報の組み合わせを取得できない場合、文字認識処理が不成功と判定し、当該フレーム画像に対応するフレーム識別情報を取得しない。そして、文字認識部１５は、フレーム識別情報と、文字情報と、座標情報とを用い、帳票定義情報記憶部１４４における帳票定義テーブル１４４１を参照し、取得した文字情報から、特定の座標の範囲に含まれる文字情報を検出する。
【００３３】
ここで、特定の座標の範囲とは、横書きであれば、一行に並んでいて、各文字の間隔が一定になっている文字列に含まれる各文字の座標情報によって特定される範囲である。文字認識部１５は、検出した特定の座標の範囲に含まれている文字情報の中から項目名の文字、または文字列を特定する。文字認識部１５は、特定した項目名の文字、または文字列を含む特定の座標の範囲に含まれる文字情報を、項目名の情報と、対応する項目記録情報とに分離して取得する。
【００３４】
例えば、図３に示す帳票の場合、文字認識部１５は、「氏名」の項目名について、「氏名」の項目名の情報と、「特許太郎」の項目記録情報を取得する。なお、文字認識部１５は、項目名の情報と、対応する項目記録情報の両方を常に取得するわけではなく、項目名の情報のみを取得する場合もある。例えば、図４に示すフレーム画像６１の場合、「年齢」の項目については、対応する項目記録情報がフレーム画像６１に含まれていない。そのため、文字認識部１５は、項目名の情報のみを取得する。例えば、項目記録情報が、撮影対象に含まれていない場合、最初から帳票に記載されていない場合、また、不鮮明で文字認識ができない場合などである。したがって、帳票情報テーブル１４５１が生成されても、項目記録情報が、記録されない場合もある。これに対し、文字認識部１５は、項目名の情報がなければ、項目記録情報を分離できず、項目記録情報のみを取得することはない。
【００３５】
文字認識部１５は、取得した全ての項目名に対応する項目番号を帳票定義テーブル１４４１から読み出し、読み出した項目番号と取得した項目記録情報とを対応付ける。文字認識部１５は、１つのフレーム画像における項目名の情報と項目記録情報の取得を終了した場合、帳票情報記憶部１４５に新たな帳票情報テーブル１４５１を生成し、生成した帳票情報テーブル１４５１に項目番号と、項目番号に対応する項目記録情報と、フレーム識別情報とを書き込んで記憶させる。なお、文字認識部１５は、フレーム画像から文字情報及び座標情報が取得できない場合、当該フレーム画像に対応するフレーム識別情報を取得せず、帳票情報記憶部１４５に帳票情報テーブル１４５１は生成されない。
【００３６】
選択部１６は、操作部１０から撮影終了の指示情報を受けると、帳票情報記憶部１４５が記憶する帳票情報テーブル１４５１の中から保存対象の帳票情報テーブル１４５１を選択する。この保存対象とする帳票情報テーブル１４５１をどのように選択するかは、任意に定められるが、ここでは、例えば、帳票情報テーブル１４５１間の重複ができるだけ少ない状態で、項目記録情報を漏れなく保存しておくように保存対象を選択するように定めるとする。この場合、例えば、選択部１６は、以下のような処理を行う。
【００３７】
選択部１６は、項目記録情報が記録されていない帳票情報テーブル１４５１を帳票情報記憶部１４５から削除する。また、選択部１６は、例えば、いずれか１つの帳票情報テーブル１４５１を選択し、選択した帳票情報テーブル１４５１に含まれている全ての項目記録情報が、他の帳票情報テーブル１４５１のいずれかに記録されている場合、読み出した帳票情報テーブル１４５１を重複情報として削除することを全ての帳票情報テーブル１４５１について行う。これらの削除処理を行うことで、帳票情報テーブル１４５１間の項目記録情報の重複を少なくしつつ、項目記録情報を漏れなく保存しておくことができる。
【００３８】
選択部１６は、最後に帳票情報記憶部１４５に残っている帳票情報テーブル１４５１を保存対象として選択する。選択部１６は、保存対象の選択が終了すると、画像処理開始の指示情報を画像処理部２０に出力する。
【００３９】
画像処理部２０は、テンプレート画像記憶部１４３が記憶するテンプレート画像の特徴を示す特徴情報を算出し、算出したテンプレート画像の特徴情報をテンプレート特徴情報記憶部１４６に書き込んで記憶させる。ここで、特徴情報とは、対象とする画像から得られる特徴点と特徴量である。また、特徴点とは、対象とする画像におけるコーナー（角）などの特徴的な個所を示す情報であり、特徴量とは、対象とする画像の特徴点にどのような特徴があるかを示す情報である。特徴情報を算出するアルゴリズムとしては、例えば、ＫＡＺＥ（画像特徴量の抽出アルゴリズムの一例）などが適用される。
【００４０】
また、画像処理部２０は、帳票情報記憶部１４５からいずれか１つの帳票情報テーブル１４５１を選択して読み出し、読み出した帳票情報テーブル１４５１の「フレーム識別情報」の項目に示されたフレーム識別情報に対応するフレーム画像をフレーム画像記憶部１４１から読み出す。画像処理部２０は、読み出したフレーム画像の特徴情報を算出し、算出したフレーム画像の特徴情報とフレーム識別情報とフレーム画像とをマッチング処理する。画像処理部２０は、帳票情報記憶部１４５において、処理対象の帳票情報テーブル１４５１がなくなると、認識データ管理部１７に送信処理を開始する指示情報を出力する。
【００４１】
また、画像処理部２０は、フレーム画像の特徴情報と、テンプレート特徴情報記憶部１４６が記憶するテンプレート画像の特徴情報とに基づいて形状などが類似する箇所をペアとして検出するマッチング（例えば、特徴量マッチング）処理を行う。
そして、画像処理部２０は、マッチング結果により、帳テンプレート画像の大きさや、項目及び罫線の位置に合うようにフレーム画像を変換する処理を行い、変換したフレーム画像とフレーム識別情報を出力する。ここで、変換する処理は、例えば、以下のようにマッチング結果から射影変換（ホモグラフィー）行列を算出し、算出した射影変換行列に基づいてフレーム画像を変換する透視変換を行う。
【００４２】
本実施形態において、フレーム画像の射影変換行列は、マッチング処理によりペアにされた箇所の座標情報に基づいて算出される行列であり、透視変換を行うためのパラメータに相当する行列である。そのため、透視変換は、撮影の際に歪んだり拡大または縮小されていたりするフレーム画像の座標変換を行ない、正面からみたときに見えるテンプレート画像の座標に対応させる。したがって、透視変換後のフレーム画像の座標系と、テンプレート画像の座標系とは一致する。
【００４３】
また、画像処理部２０は、テンプレート画像記憶部１４３からテンプレート画像を読み出し、このテンプレート画像を重畳画像のデータの初期画像データとして重畳画像記憶部１４７に書き込み、重畳状態テーブル１４７１を生成する。また、画像処理部２０は、フレーム画像を透視変換した後、この透視変換されたフレーム画像と、重畳画像記憶部１４７から読み出した重畳画像との座標を一致させ、重畳画像の前面に重ねて新たな重畳画像を生成し、生成した重畳画像を重畳画像記憶部１４７に上書きする。
【００４４】
また、画像処理部２０は、重畳画像記憶部１４７が記憶する重畳状態テーブル１４７１に対し、重ねたフレーム画像に対応するフレーム識別情報を「フレーム識別情報」の項目に書き込み、「配置状態」の項目に、新たに追加したフレーム画像と、１つ前のフレーム画像との位置関係に対応させ「−」、「上」及び「下」のいずれかの情報を書き込む。
【００４５】
認識データ管理部１７は、画像処理部２０から送信処理を開始する指示情報を受けた場合、帳票定義情報記憶部１４４が記憶する帳票定義テーブル１４４１の「帳票識別情報」の項目に示されている帳票識別情報と、重畳画像記憶部１４７が記憶する重畳画像及び重畳状態テーブル１４７１を読み出す。また、認識データ管理部１７は、帳票情報記憶部１４５が記憶する全ての帳票情報テーブル１４５１を読み出す。認識データ管理部１７は、読み出した帳票情報テーブル１４５１の「フレーム識別情報」の項目に示されているフレーム識別情報に対応するフレーム画像をフレーム画像記憶部１４１から読み出す。
【００４６】
また、認識データ管理部１７は、読み出した全ての情報に対して端末装置１に予め付与されているユーザ識別情報を対応付けて通信部１８を通じて帳票データ管理装置３に送信する。ここで、ユーザ識別情報とは、ユーザを個別に識別する情報であり、例えば、端末装置１の電話番号、端末装置１の個体識別番号などでもよいし、端末装置１を用いて帳票データ管理装置３にログインしている場合には、ログインする際のユーザＩＤ(IDentification)でもよい。
【００４７】
帳票データ管理装置３は、例えば、Ｗｅｂサーバ装置として通信ネットワーク４に接続されており、記録処理部３１と記憶部３２を備える。記録処理部３１は、通信ネットワーク４を通じて端末装置１の認識データ管理部１７が送信する情報を受信し、受信した情報を記憶部３２に書き込む。
【００４８】
記憶部３２は、図９に示す帳票情報集計テーブル３２１を記憶する。帳票情報集計テーブル３２１は、「ユーザ識別情報」、「帳票識別情報」、「重畳画像情報」、「重畳画像構成情報（フレーム識別情報）」、「変換前フレーム画像情報」、「項目番号」、「取得情報」、「表示状態」の項目を有する。
【００４９】
「ユーザ識別情報」、「帳票識別情報」「重畳画像情報」の項目には、それぞれ認識データ管理部１７から受信するユーザ識別情報、帳票識別情報、重畳画像のデータが記録処理部３１によって書き込まれる。「重畳画像構成情報（フレーム識別情報）」の項目には、認識データ管理部１７から受信する重畳状態テーブル１４７１の「フレーム識別情報」の項目のフレーム識別情報が、当該項目に記録されている順にしたがって記録処理部３１によって書き込まれる。「変換前フレーム画像情報」の項目には、「重畳画像構成情報（フレーム識別情報）」に記録されているフレーム識別情報に対応する透視変化前のフレーム画像のデータが記録処理部３１によって書き込まれる。
【００５０】
「項目番号」及び「取得情報」の項目には、「重畳画像構成情報（フレーム識別情報）」に記録されているフレーム識別情報に対応する帳票情報テーブル１４５１の「項目番号」の項目と「取得情報」の項目の情報が記録処理部３１によって書き込まれる。「表示状態」の項目には、「取得情報」の項目に記録されている項目記録情報の中で重畳画像に表示されている項目記録情報を「○」で示し、表示されていない項目記録情報を「×」示す表示状態の情報が書き込まれる。これにより、例えば、ユーザが、後からどの項目記録情報が保存対象になっているかを、重複画像を参照しつつ確認することが可能となる。
【００５１】
（端末装置による画像管理処理）
次に、図１０から図１７を参照しつつ、帳票を撮影して得られるフレーム画像、及びフレーム画像から得られる文字情報をテンプレート画像に関連付けて帳票データ管理装置３の記憶部３２に記憶させる画像管理処理について説明する。
【００５２】
端末装置１のアプリケーション記憶部１４２は、予めダウンロードされた帳票撮影用のＡＰを記憶している。また、テンプレート画像記憶部１４３は、予め図２に示すテンプレートの画像のデータを記憶しており、帳票定義情報記憶部１４４は、これから撮影する帳票のテンプレートの種類に対応する帳票定義テーブル１４４１を予め記憶している。ユーザによる帳票撮影用のＡＰの起動指示を受けて端末装置１は、アプリケーション記憶部１４２に記憶されている帳票撮影用のＡＰを起動する。
【００５３】
起動した帳票撮影用のＡＰは、撮影部１１と表示部１２を起動し、表示部１２の画面に、撮影開始ボタン、撮影終了ボタンを表示する。表示部１２は、画面に撮影部１１の撮像素子に結像されている画像を表示するプレビュー表示を開始する。
【００５４】
図１０は、画像管理処理のうち端末装置１による帳票の撮影処理の流れを示すフローチャートである。ユーザは、表示部１２のプレビュー表示を参照しながら、例えば、撮影部１１のレンズを図３に示す帳票の用紙の先頭の領域に向けて、撮影開始ボタンを選択する（ステップＳａ１）。
【００５５】
操作部１０は、撮影開始ボタンが選択されると、フレーム画像記憶部１４１、帳票情報記憶部１４５、重畳画像記憶部１４７の初期化を行い、撮影部１１に対して撮影開始の指示情報を出力する。撮影部１１は、操作部１０から撮影開始の指示情報を受けると、１秒間に１０〜３０フレームのフレームレートでの撮影を連続して行う処理を開始し、撮影ごとに生成するフレーム画像をフレーム画像取得部１３に出力する。
【００５６】
ユーザは、端末装置１において、表示部１２のプレビュー表示を参照しながら、帳票の一部を撮影対象として、帳票の先頭から末端まで端末装置１を移動させていく。これにより、ユーザは、シャッターボタンを押すなどの操作を行わない。そして、撮影部１１は、例えば、毎秒１０〜３０フレームで、帳票の先頭から末端にわたって、帳票の一部を撮影したフレーム画像を撮影する。この場合、ユーザは、シャッターボタンを押下するなど特別な操作を行う必要がなく、動画を撮影している感覚で撮影を行う。
【００５７】
フレーム画像取得部１３は、撮影部１１が出力するフレーム画像を取得すると、新たなフレーム識別情報を生成し、取得したフレーム画像に生成したフレーム識別情報を対応付けてフレーム画像記憶部１４１に書き込んで記憶させる（ステップＳａ２）。ここで、フレーム画像６１に対して、フレーム識別情報として「１」を生成して対応付ける。
【００５８】
文字認識部１５は、フレーム画像記憶部１４１に新たなフレーム画像が書き込まれた場合、書き込まれたフレーム画像の文字認識処理を行い、フレーム画像から文字情報と、当該文字情報に対応する座標情報を検出する（ステップＳａ３）。
【００５９】
文字認識部１５は、１つのフレーム画像から１つ以上の文字情報と座標情報の組み合わせを検出したか否かを判定し、ＯＣＲ処理が成功したか否かを判定する（ステップＳａ４）。文字認識部１５は、１つのフレーム画像から１つ以上の文字情報と座標情報の組み合わせを検出していない場合、ＯＣＲ処理が不成功と判定し（ステップＳａ４、Ｎｏ）、処理をステップＳａ２に進め、フレーム画像取得部１３が次のフレーム画像の取得を行う。
【００６０】
一方、文字認識部１５は、１つのフレーム画像から１つ以上の文字情報と座標情報の組み合わせを検出する場合、ＯＣＲ処理が成功と判定し（ステップＳａ４、Ｙｅｓ）、検出した全ての文字情報と座標情報の組み合わせに対してフレーム画像のフレーム識別情報を対応付ける。
【００６１】
文字認識部１５は、フレーム識別情報に対応する全ての文字情報及び座標情報と、帳票定義情報記憶部１４４の帳票定義テーブル１４４１とに対応し、文字情報の中から項目名と、項目記録情報とを検出して取得する。文字認識部１５は、帳票定義テーブル１４４１を参照し、取得した項目記録情報に対して項目番号を対応付ける（ステップＳａ５）。
【００６２】
文字認識部１５は、帳票情報記憶部１４５に新たな帳票情報テーブル１４５１を生成し、生成した帳票情報テーブル１４５１の「フレーム識別情報」の項目にフレーム識別情報を書き込む。文字認識部１５は、「項目番号」の項目に取得した項目番号を書き込み、項目番号に対応する項目記録情報を「取得情報」の項目に書き込んで記憶させる（ステップＳａ６）。例えば、図４に示すフレーム画像６１の場合、文字認識部１５は、図７に示す帳票情報テーブル１４５１−１を生成する。ここで、項目番号「００７」は、「年齢」の項目であり、図４に示すように「年齢」の項目名に対応する項目記録情報はフレーム画像６１に含まれないため、帳票情報テーブル１４５１−１において項目番号のみが書き込まれる。
【００６３】
文字認識部１５は、操作部１０から撮影終了ボタンが選択された（撮影終了の指示情報を受けた）か否かを判定する（ステップＳａ７）。文字認識部１５は、撮影終了の指示情報を受けたと判定した場合（ステップＳａ７、Ｙｅｓ）、処理を終了する。一方、文字認識部１５は、撮影終了の指示情報を受けていないと判定した場合（ステップＳａ７、Ｎｏ）、処理をステップＳａ２に進め、フレーム画像取得部１３が次のフレーム画像の取得を行う。
【００６４】
例えば、次に、図５に示すフレーム画像６２がフレーム画像取得部１３によって取得されると、図１１に示す帳票情報テーブル１４５１−２が帳票情報記憶部１４５に生成される。また、図１２に示すフレーム画像６３がフレーム画像取得部１３によって取得されると、図１３に示す帳票情報テーブル１４５１−３が帳票情報記憶部１４５に生成される。
【００６５】
図１４は、画像管理処理のうち端末装置１による保存対象の帳票情報テーブルの選択処理の流れを示すフローチャートである。選択部１６は、操作部１０から撮影終了の指示情報を受けると、帳票情報記憶部１４５を参照し、項目記録情報が存在しない帳票情報テーブル１４５１を全て削除する（ステップＳｂ１）。
【００６６】
次に、選択部１６は、帳票情報記憶部１４５から未処理の、すなわち未だ処理対象としていない帳票情報テーブル１４５１の中で順番の最後の帳票情報テーブル１４５１を読み出す（ステップＳｂ２）。
【００６７】
選択部１６は、読み出した帳票情報テーブル１４５１の「取得情報」の項目に記録されている項目記録情報の各々が、帳票情報記憶部１４５の他の帳票情報テーブル１４５１のいずれかに記録された保存対象か否かを判定する（ステップＳｂ３）。
【００６８】
選択部１６は、当該帳票情報テーブル１４５１の「取得情報」の項目に記録されている項目記録情報の各々が、帳票情報記憶部１４５に記憶されている他の帳票情報テーブル１４５１のいずれかに記録されている場合、保存対象ではないと判定し（ステップＳｂ３、Ｎｏ）、読み出した帳票情報テーブル１４５１を帳票情報記憶部１４５から削除する。
【００６９】
一方、選択部１６は、当該帳票情報テーブル１４５１の「取得情報」の項目に記録されている項目記録情報の各々が、帳票情報記憶部１４５に記憶されている他の帳票情報テーブル１４５１のいずれにも記録されていない場合、保存対象であると判定する（ステップＳｂ３、Ｙｅｓ）。当該帳票情報テーブル１４５１を削除すると失われる項目記録情報が存在するためである。選択部１６は、未処理の帳票情報テーブル１４５１が帳票情報記憶部１４５に存在するか否かを判定する（ステップＳｂ５）。
【００７０】
選択部１６は、未処理の帳票情報テーブル１４５１が帳票情報記憶部１４５に存在すると判定した場合（ステップＳｂ５、Ｙｅｓ）、処理をステップＳｂ２に進める。一方、選択部１６は、未処理の帳票情報テーブル１４５１が帳票情報記憶部１４５に存在しないと判定した場合（ステップＳｂ５、Ｎｏ）、画像処理開始の指示情報を画像処理部２０に出力して（ステップＳｂ６）、処理を終了する。
【００７１】
また、選択部１６は、図１４に示すステップＳｂ２の処理において、未処理の帳票情報テーブル１４５１の中で最後に帳票情報記憶部１４５に書き込まれた帳票情報テーブル１４５１を読み出しているが、例えば、最初に帳票情報記憶部１４５に書き込まれた帳票情報テーブル１４５１を読み出してもよい。
【００７２】
図１５は、画像管理処理のうち端末装置１によるテンプレート画像にフレーム画像を重ねて重畳画像を生成する処理の流れを示すフローチャートである。
【００７３】
画像処理部２０は、選択部１６から画像処理開始の指示情報を受けると、テンプレート画像記憶部１４３が記憶するテンプレート画像の特徴情報を算出し、算出した特徴情報をテンプレート特徴情報記憶部１４６に書き込んで記憶させる。画像処理部２０は、画像処理開始の指示情報が供給された場合、テンプレート画像記憶部１４３からテンプレート画像を読み出し、読み出したテンプレート画像を重畳画像のデータの初期画像データとして重畳画像記憶部１４７に書き込む。また、画像処理部２０は、重畳画像記憶部１４７に重畳状態テーブル１４７１を生成する（ステップＳｃ１）。
【００７４】
また、画像処理部２０は、帳票情報記憶部１４５の中から未処理の帳票情報テーブル１４５１を検出し、検出した未処理の帳票情報テーブル１４５１の中で最初に帳票情報記憶部１４５に書き込まれた帳票情報テーブル１４５１を読み出す（ステップＳｃ２）。すなわち、画像処理部２０は、検出した未処理の帳票情報テーブル１４５１を帳票情報記憶部１４５に書き込まれた順番に並べた場合、この順番に帳票情報テーブル１４５１を読み出す。
【００７５】
画像処理部２０は、読み出した帳票情報テーブル１４５１の「フレーム識別情報」の項目のフレーム識別情報に対応するフレーム画像をフレーム画像記憶部１４１から読み出す（ステップＳｃ３）。画像処理部２０は、読み出したフレーム画像の特徴情報を算出する（ステップＳｃ４）。
【００７６】
画像処理部２０は、算出したフレーム画像の特徴情報と、テンプレート特徴情報記憶部１４６のテンプレート画像の特徴情報とを比較し、例えば、図１６に示すように、形状などが類似する箇所をペアとして検出するマッチング処理を行う（ステップＳｃ５）。すなわち、画像処理部２０は、例えば、フレーム画像６１の符号７００の「健」の文字の座標と、テンプレート画像５０の符号６００の「健」の文字の座標をペアとして検出する。また、画像処理部２０は、フレーム画像６１の符号７０１のコーナー（角）の座標と、テンプレート画像５０の符号６０１のコーナー（角）の座標をペアとして検出する。
【００７７】
画像処理部２０は、マッチング結果に対応して射影変換行列を算出し、算出した射影変換行列によりフレーム画像を透視変換する（ステップＳｃ６）。
【００７８】
画像処理部２０は、フレーム画像を透視変換した後、重畳画像記憶部１４７から重畳画像を読み出す。画像処理部２０は、読み出した重畳画像と座標が一致するように、フレーム画像を重畳画像の前面に重ねて新たな重畳画像を生成し、生成した重畳画像を重畳画像記憶部１４７に上書きする。画像処理部２０は、重畳画像記憶部１４７が記憶する重畳状態テーブル１４７１に対して重ねたフレーム画像に対応するフレーム識別情報を「フレーム識別情報」の項目に書き込み、「配置状態」の項目を更新する（ステップＳｃ７）。
【００７９】
フレーム画像６１の場合、テンプレート画像５０には、１つのフレーム画像６１のみ重なっておらず、前にフレーム画像が存在しない。このため、画像処理部２０は、フレーム画像６１に対応するフレーム識別情報「１」の「配置状態」の項目の上と下の両方の欄に「−」を書き込む。また、フレーム画像６１の次のフレーム画像６２の場合、画像処理部２０は、フレーム画像６１に対応するフレーム識別情報「１」の「配置状態」の項目の下の欄に「下」を書き込み、フレーム画像６２に対応するフレーム識別情報「２」の「配置状態」の項目の上の欄に「上」を書き込み、下の欄に「−」を書き込む。
【００８０】
画像処理部２０は、ステップＳｃ７の処理を終了した後、帳票情報記憶部１４５に未処理の帳票情報テーブル１４５１が存在するか否かを判定する（ステップＳｃ８）。画像処理部２０は、帳票情報記憶部１４５に未処理の帳票情報テーブル１４５１が存在すると判定した場合（ステップＳｃ８、Ｙｅｓ）、ステップＳｃ２からの処理を行う。
一方、画像処理部２０は、帳票情報記憶部１４５に未処理の帳票情報テーブル１４５１が存在しないと判定した場合（ステップＳｃ８、Ｎｏ）、認識データ管理部１７に対して送信処理を開始する指示情報を出力する。
【００８１】
例えば、フレーム画像６１，６２，６３が撮影された場合、画像処理部２０が、送信処理を開始する指示情報を出力する際に、重畳画像記憶部１４７には、図１７に示す重畳画像４０が生成されている。重畳画像４０において、最後面に存在するのが、テンプレート画像５０であり、フレーム画像６１−ｒ，６２−ｒ，６３−ｒが、それぞれ透視変換されたフレーム画像６１，６２，６３である。
【００８２】
最初にフレーム画像６１−ｒがテンプレート画像５０に重ねられ、その後、フレーム画像６２−ｒ、フレーム画像６３−ｒの順で重ねられている。上述したように、第１実施形態では、後から重ねられるフレーム画像が、上に位置するように重ねられるため、フレーム画像６１−ｒと、フレーム画像６２−ｒの一部は見えない状態になっている。また、重畳画像記憶部１４７には、最終的に、図８に示す重畳状態テーブル１４７１が生成される。
【００８３】
例えば、フレーム画像６１，６２，６３が撮影された場合、認識データ管理部１７は、画像処理部２０から送信処理を開始する指示情報を受けると、帳票定義情報記憶部１４４が記憶する帳票定義テーブル１４４１の「帳票識別情報」の項目に示されている帳票識別情報「０００１」を読み出す。また、認識データ管理部１７は、重畳画像記憶部１４７が記憶する重畳画像４０及び重畳状態テーブル１４７１を読み出す。また、認識データ管理部１７は、帳票情報記憶部１４５が記憶する帳票情報テーブル１４５１−１，１４５１−２，１４５１−３を読み出す。認識データ管理部１７は、読み出した帳票情報テーブル１４５１−１，１４５１−２，１４５１−３の「フレーム識別情報」の項目に示されているフレーム識別情報「１」，「２」，「３」に対応するフレーム画像６１，６２，６３をフレーム画像記憶部１４１から読み出す。また、認識データ管理部１７は、読み出した全ての情報に対して端末装置１に予め付与されているユーザ識別情報を対応付けて通信部１８を通じて帳票データ管理装置３に送信して（ステップＳｃ９）、処理を終了する。
【００８４】
帳票データ管理装置３の記録処理部３１は、通信ネットワーク４を通じて端末装置１の認識データ管理部１７が送信する情報を受信すると、受信した情報を帳票情報集計テーブル３２１の各項目に書き込んで記憶させる。
【００８５】
記録処理部３１は、帳票情報集計テーブル３２１の「表示状態」の項目に情報を書き込む際、認識データ管理部１７から受信する重畳状態テーブル１４７１の「配置状態」の情報を参照する。記録処理部３１は、前後のフレーム画像との間で、項目番号が一致する項目記録情報については、「配置状態」の情報が「上」になっているフレーム画像の表示状態を「○」として記録し、「下」になっているフレーム画像に対応する表示状態を「×」として記録する。
【００８６】
例えば、図４に示すフレーム画像６１からは、図７の帳票情報テーブル１４５１−１に示すように、項目番号「００１」の事業所名から「００７」の「年齢」までの項目名の情報が取得されている。また、図５に示すフレーム画像６２からは、図１１の帳票情報テーブル１４５１−２に示すように、項目番号「００５」の「性別」から項目番号「０１２」の「他覚症状」までの項目記録情報が取得されている。したがって、フレーム画像６１とフレーム画像６２では、項目番号「００５」の「性別」と、「００６」の「健診年月日」と、「００７」の「年齢」の項目が重複している。
【００８７】
図１７の重畳画像４０に示すように、フレーム画像６１−ｒの前面に、フレーム画像６２−ｒが重ねられているため、図８に示すように、重畳状態テーブル１４７１の「配置状態」の項目において、フレーム画像６１−ｒに対応するフレーム識別情報「１」の下の欄は「下」になっており、フレーム画像６２−ｒに対応するフレーム識別情報「２」の上の欄は「上」になっている。したがって、記録処理部３１は、図９に示すように、帳票情報集計テーブル３２１の「表示状態」の項目において、フレーム識別情報「１」に対応する項目番号「００５」，「００６」，「００７」については「×」を書き込み、フレーム識別情報「２」に対応する項目番号「００５」，「００６」，「００７」については「○」を書き込む。
【００８８】
なお、上記の第１実施形態では、画像処理部２０は、図１５に示すステップＳｃ２の処理において、未処理の帳票情報テーブル１４５１の中で最初に帳票情報記憶部１４５に書き込まれた帳票情報テーブル１４５１を読み出しているが、例えば、最後に帳票情報記憶部１４５に書き込まれた帳票情報テーブル１４５１を読み出してもよい。図１５に示すように、最初に帳票情報記憶部１４５に書き込まれた帳票情報テーブル１４５１から順に処理を行うと、図１７に示すように、例えば、時系列に並べた場合に古いフレーム画像６１−ｒの前面に新しいフレーム画像６２−ｒが重ねられる。逆に、最後に帳票情報記憶部１４５に書き込まれた帳票情報テーブル１４５１から順に処理を行うと、例えば、時系列に並べた場合に新しいフレーム画像６３−ｒの前面に古いフレーム画像６２−ｒが重ねられる。また、画像処理部２０は、未処理の帳票情報テーブル１４５１の中からランダムに帳票情報テーブル１４５１を読み出してもよい。
【００８９】
また、上記の第１実施形態では、端末装置１を帳票の先頭から末端に向かって動かして撮影するとしているが、端末装置１を帳票の末端から先頭に向かって動かしても、帳票の任意の領域をランダムに撮影してもよい。
【００９０】
また、上記の第１実施形態では、図１０に示す処理の終了後に、図１４に示す処理が行われ、図１４に示す処理の終了後に、図１５に示す処理が行われる構成になっている。帳票の任意の領域をランダムに撮影する場合、このような順番で行う必要があるが、帳票を先頭から順に末端方向に向かって撮影した場合、逆に、帳票を末端から順に先頭方向に向かって撮影した場合、得られるフレーム画像は時系列となり、フレーム画像間の項目記録情報の重複は、一定の範囲のフレーム画像の中で確認すればよい。したがって、フレーム画像が時系列に得られた場合、図１０に示す処理が一定時間行われた後に、図１４に示す処理を開始し、更に、図１４に示す処理が一定時間行われた後に、図１５に示す処理を開始して図１０、図１４、及び図１５に示す処理を並列に行ってもよい。
【００９１】
また、上記の第１実施形態では、認識データ管理部１７は、読み出した全ての帳票情報テーブル１４５１の「フレーム識別情報」の項目に示されているフレーム識別情報に対応するフレーム画像をフレーム画像記憶部１４１から読み出しているが、重畳状態テーブル１４７１の「フレーム識別情報」に示されているフレーム識別情報に対応するフレーム画像をフレーム画像記憶部１４１から読み出してもよい。
【００９２】
上記の第１実施形態の構成では、端末装置１において、フレーム画像取得部１３は、任意に連続して定められる帳票の一部の領域を撮影対象として撮影部１１が連続して撮影するごとに得られるフレーム画像を取得する。文字認識部１５は、フレーム画像ごとに文字認識処理を行う。画像処理部２０は、予め与えられる帳票のテンプレートの画像の特徴を示す特徴情報と、文字認識処理により文字情報が検出されたフレーム画像ごと特徴情報とに対応し、フレーム画像を変換し、変換したフレーム画像をテンプレート画像に重ねる。これにより、帳票の一部を撮影したフレーム画像のうち文字情報の取得ができたフレーム画像と、テンプレート画像とを関係付けられるため、ユーザは、当該フレーム画像が、帳票のどの位置に対応しているかを容易に把握できる。また、テンプレート画像を基準としてフレーム画像を重ねていくため、フレーム画像が傾いて撮影されても、傾きを補正できるため、縦の罫線及び横の罫線が、それぞれ垂直及び水平の方向になり精度の良い重畳画像が得られる。また、撮影漏れがある場合も容易に見つけることが可能となる。
【００９３】
（第１実施形態の他の構成例）
上記の第１実施形態では、画像処理部２０は、図１５に示すステップＳｃ７の処理においてフレーム画像を重ねる際、既にテンプレート画像５０に重ねられているフレーム画像の前面に重ねていく処理を行っていた。このステップＳｃ７の処理を行う際に、画像処理部２０は、帳票情報テーブル１４５１の「項目番号」及び「取得情報」の項目の記録状態に基づいて、フレーム画像を重ねる順を変更してもよい。例えば、図１８に示すフレーム画像６２ａは、「性別」の項目記録情報と、「健診年月日」の項目記録情報が不鮮明である。そのため、文字認識部１５は、これらの項目では、項目記録情報を取得できず、項目名の「性別」と「健診年月日」の文字情報のみを取得する。
第１実施形態において説明した画像処理部２０の処理をフレーム画像６２ａに適用した場合、フレーム画像６２ａを透視変換した画像（以下、フレーム画像６２ａ−ｒ）をフレーム画像６１−ｒの前面に重ねるため、フレーム画像６１に表示されている「性別」／「男」、「健診年月日」／「平成29年6月10日」の情報が重畳画像４０で見えなくなる。
【００９４】
図１９は、フレーム画像６２ａに対応して帳票情報記憶部１４５に生成される帳票情報テーブル１４５１ａ−２を示した図である。画像処理部２０は、図７に示す帳票情報テーブル１４５１−１と、帳票情報テーブル１４５１ａ−２の共通の項目番号である「００５」から「００７」に対応する「取得情報」の項目を参照する。項目番号「００５」，「００６」については、帳票情報テーブル１４５１−１には、項目記録情報として、「男」、「平成29年6月10日」が記録されるのに対し、帳票情報テーブル１４５１ａ−２には、項目記録情報が記録されない。
【００９５】
このような場合、画像処理部２０は、フレーム画像６２ａ−ｒをフレーム画像６１−ｒの前面に重ねると、項目番号「００５」，「００６」に対応する項目記録情報が隠れると判定し、図２０に示すようにフレーム画像６１−ｒの背面にフレーム画像６２ａ−ｒを重ねる。また、画像処理部２０は、図２１に示すように、重畳状態テーブル１４７１のフレーム識別情報「１」の「配置状態」の項目の下の欄に「上」を書き込み、フレーム識別情報「２」の「配置状態」の項目の上の欄に「下」を書き込む。
【００９６】
上記の第１実施形態の他の構成例において、画像処理部２０は、テンプレート画像にフレーム画像を重ねる際、１つ前に重ねられたフレーム画像と文字情報が重複する場合、両方のフレーム画像の含む文字情報に基づき、いずれのフレーム画像を上にして重ねるかを選択する。これにより、テンプレート画像にフレーム画像が重ねられて生成される重畳画像において、文字情報が他のフレーム画像に隠されず、多くの文字情報が表示できる。
【００９７】
（第２実施形態）
本発明の第２実施形態は、第１の実施形態と構成は同様であるが、動作が異なる。以下、文字認識部１５及び画像処理部２０の第１の実施形態と異なる動作のみを説明する。
文字認識部１５は、第１実施形態の処理とともに、以下のような処理を行う。すなわち、文字認識部１５は、帳票情報記憶部１４５に対して、第１実施形態の帳票情報テーブル１４５１のデータ形式に替えて、図２２に示すように「座標情報」の項目が追加されたデータ形式のテーブルを生成する。この、図２２に示す帳票情報テーブル１４５１ｂ−１は、フレーム画像６１に基づいて、文字認識部１５が帳票情報記憶部１４５に生成したテーブルである。なお、第２実施形態において、帳票情報記憶部１４５が記憶するいずれか１つのテーブルを示す場合、符号の枝番号を付けずに帳票情報テーブル１４５１ｂとして示す。この図２２における「座標情報」に書き込まれる４個の座標情報は、当該レコードの項目番号に対応する項目名と項目記録情報の文字情報を囲む領域を示す座標情報である。文字認識部１５は、文字情報ごとの座標情報に基づいて、４個の座標情報を算出して、帳票情報テーブル１４５１ｂに書き込む。
【００９８】
上記の第１実施形態の他の構成例に示した例において、図７に示す帳票情報テーブル１４５１−１と、図１９に示す帳票情報テーブル１４５１ａ−２に共通の項目番号である「００７」の場合、帳票情報テーブル１４５１−１の「取得情報」の項目には、情報が存在せず、帳票情報テーブル１４５１ａ−２の「取得情報」の項目に「４０歳」という項目記録情報が存在していた。図４に示すフレーム画像６１では、「年齢」の項目名に対応する項目記録情報を記録する欄が、斜めに切れており、フレーム画像６１−ｒを上にして重ねても、フレーム画像６２ａ−ｒに表示された「４０歳」が見えていた。これに対し、フレーム画像６１の「年齢」の項目名に対応する項目記録情報が不鮮明に記録されているだけで、項目記録情報を記録する領域がフレーム画像６１に存在している場合、フレーム画像６１−ｒを上にして重ねると、フレーム画像６２ａ−ｒに表示された「４０歳」が隠れる。
【００９９】
そこで、第２実施形態において、画像処理部２０は、第１実施形態の処理とともに、以下のような処理を行う。画像処理部２０は、フレーム画像６１−ｒをテンプレート画像５０に重ねた後、帳票情報テーブル１４５１ｂ−１の「取得情報」の項目を参照し、「取得情報」の項目に項目記録情報が記録されていない行を検出する。帳票情報テーブル１４５１ｂ−１の場合、項目番号「００７」を検出する。
【０１００】
画像処理部２０は、検出した項目番号「００７」に対応する「座標情報」の項目の４個の座標情報（ｘｇ１、ｙｇ１），（ｘｇ２、ｙｇ２），（ｘｇ３、ｙｇ３），（ｘｇ４、ｙｇ４）を読み出す。画像処理部２０は、フレーム画像６１に対応する射影変換行列と、帳票情報テーブル１４５１ｂ−１の「座標情報」とにより、図２３に示すようにフレーム画像６１−ｒの不要領域１５０を算出し、算出した不要領域１５０をテンプレート画像５０に重ねたフレーム画像６１−ｒから除去する。フレーム画像６２ａの場合、画像処理部２０は、図２４に示すように、フレーム画像６２ａ−ｒにおける不要領域１５０１と不要領域１５０２を算出し、フレーム画像６２−ｒから不要領域１５０１，１５０２を除去する。
【０１０１】
なお、画像処理部２０は、不要領域１５０，１５０１、１５０２を算出する際、罫線の位置で除去できるように不要領域１５０，１５０１、１５０２を算出してもよい。例えば、画像処理部２０は、フレーム画像６１の場合、項目記録情報が存在しない項目である「年齢」の横方向の罫線の座標情報を検出し、検出した座標情報を用いて横方向の罫線に沿った不要領域１５０を算出する。フレーム画像６２ａの場合、画像処理部２０は、項目記録情報が存在しない項目である「性別」、「健診年月日」、「視聴」の横方向の罫線の座標情報を検出し、この座標情報を用いて横方向の罫線に沿った不要領域１５０１，１５０２を算出する。不要領域１５０，１５０１，１５０２が除去された後のフレーム画像６１ｂ−ｒと、フレーム画像６２ｂ−ｒとの位置関係は、図２５に示す位置関係となり、重複部分がなくなり、重ね合わせの際に必要な情報が隠れるという問題を解消できる。
【０１０２】
なお、上記のように不要領域１５０，１５０１，１５０２を除去せずに、不要領域１５０，１５０１，１５０２以外の領域、すなわち項目記録情報が存在する領域を罫線ごとに切り分けて、切り分けた領域をテンプレート画像５０の該当箇所に重ねてもよい。また、テンプレート画像５０には、項目名は示されているため、帳票情報テーブル１４５１に記録されている項目記録情報を文字情報とし、テンプレート画像５０の解像度に合う文字の大きさにして、テンプレート画像５０の対応するように配置してもよい。
【０１０３】
また、上記第１及び第２実施形態では、予め外部のイメージスキャナー等で読み取ったテンプレートの画像をテンプレート画像記憶部１４３に記憶させている。これに対して、撮影部１１によってテンプレートの静止画を撮影して得られるテンプレート画像をテンプレート画像記憶部１４３に記憶させてもよい。
また、上記第１及び第２実施形態において、画像処理部２０が誤ったマッチング結果に基づいて透視変換を行うと、変換後の画像が読めないものになる可能性がある。例えば、マッチング結果の距離の値は、値の大きさが小さいほど確度が高くなるが、このマッチング結果の距離の値や、対応すると判定された特徴点の数に閾値を設ける等の処理を加えて、マッチングの精度を高めてもよい。また、画像処理部２０による透視変換の結果で得られるフレーム画像のサイズが大きすぎる場合、変換が失敗したとして除外してもよい。
【０１０４】
また、上記第１及び第２実施形態の構成において、帳票の撮影の際に、別の帳票や任意の物体が写り込んでしまうと、画像処理部２０による処理において、別の帳票や任意の物体を特徴として算出する場合がある。そのため、画像処理部２０が、フレーム画像記憶部１４１からフレーム画像を読み出した際、フレーム画像の外周を示す線を検出し、外周部分をトリミングしてからフレーム画像の特徴情報を算出してもよい。
【０１０５】
また、第１及び第２実施形態では、端末装置１が、画像処理部２０と重畳画像記憶部１４７を備えて、重畳画像を生成する画像処理を行う１台の「画像処理装置」として機能しているが、画像処理部２０と重畳画像記憶部１４７を分離して、外部の装置（例えば、画像処理サーバ装置など）が、画像処理部２０と重畳画像記憶部１４７を備えるようにしてもよい。この場合、端末装置１が、フレーム画像記憶部１４１が記憶する情報と、帳票テンプレート画像記憶部４１３が記憶する情報と、帳票情報記憶部１４５が記憶する情報とを、外部の装置に出力する。外部の装置の画像処理部２０は、端末装置１が出力する情報に基づいて、重畳画像を生成し、最終的に得られた重畳画像を端末装置１に出力するといった構成になる。かかる場合、端末装置１と当該外部の装置が一体となって重畳画像を生成する「画像処理装置」となる。
【０１０６】
また、第１及び第２実施形態において、重畳状態テーブル１４７１において、どのフレーム画像が上になっているかを示す「配置状態」の情報を記憶しているが、例えば、常に時系列で後になるフレーム画像を上に重ねる、または下に重ねるといった決まった処理を行うのであれば、重畳状態テーブル１４７１を備えなくてもよい。この場合、記録処理部３１は、重畳状態テーブル１４７１を参照できないことになるため、図９に示す帳票情報集計テーブル３２の「表示状態」の項目を設けなくてもよい。
【０１０７】
上述した実施形態における端末装置１をコンピュータで実現してもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合のサーバやクライアントとなるコンピュータシステム内部の揮発性メモリのように、一定時間プログラムを保持しているものも含んでもよい。また上記プログラムは、前述した機能の一部を実現するでもよく、さらに前述した機能をコンピュータシステムにすでに記録されているプログラムとの組み合わせで実現できるものでもよく、ＦＰＧＡ（Field Programmable Gate Array）等のプログラマブルロジックデバイスを用いて実現されるものでもよい。
【０１０８】
以上、この発明の実施形態について図面を参照して詳述してきたが、具体的な構成はこの実施形態に限られず、この発明の要旨を逸脱しない範囲の設計等も含まれる。
【符号の説明】
【０１０９】
１…端末装置  ３…帳票データ管理装置  ４…通信ネットワーク  １０…操作部  １１…撮影部  １２…表示部  １３…フレーム画像取得部  １４…記憶部  １５…文字認識部  １７…認識データ管理部  １８…通信部  ２０…画像処理部  ３１…記録処理部  ３２…記憶部
【図１】
2020098433.tif 000003
【図２】
2020098433.tif 000004
【図３】
2020098433.tif 000005
【図４】
2020098433.tif 000006
【図５】
2020098433.tif 000007
【図６】
2020098433.tif 000008
【図７】
2020098433.tif 000009
【図８】
2020098433.tif 000010
【図９】
2020098433.tif 000011
【図１０】
2020098433.tif 000012
【図１１】
2020098433.tif 000013
【図１２】
2020098433.tif 000014
【図１３】
2020098433.tif 000015
【図１４】
2020098433.tif 000016
【図１５】
2020098433.tif 000017
【図１６】
2020098433.tif 000018
【図１７】
2020098433.tif 000019
【図１８】
2020098433.tif 000020
【図１９】
2020098433.tif 000021
【図２０】
2020098433.tif 000022
【図２１】
2020098433.tif 000023
【図２２】
2020098433.tif 000024
【図２３】
2020098433.tif 000025
【図２４】
2020098433.tif 000026
【図２５】
2020098433.tif 000027